(57)【要約】【課題】放送から流れる楽曲等に関連する情報を自動的に指定することができる放送特定装置および自動演奏装置を提供する。【解決手段】自動演奏装置１はラジオ受信装置から放音されている音を収音して音声信号Ａを得ると同時に指定した周波数の放送電波を受信して音声信号Ｂを得る。次に、これら２つの音声信号Ａ，Ｂの相関係数を算出して音声が一致しているか否かを判断する。音声が一致していないと判断した場合、受信する放送電波の周波数を切り替えて音声を比較し、受信可能なすべての周波数で比較しても音声の一致が見られない場合には、番組特定不能である旨を表示する。音声が一致していると判断した場合、自動演奏装置１は放送電波の周波数Ｆと時刻情報ｔを楽曲サーバ２へ送信し、楽曲サーバ２はこれらを基に番組情報サーバ３から番組情報を得て、当該時刻に当該周波数で放送された楽曲に関連する情報を自動演奏装置１に出力する。【選択図】図1
2008236548.tif 000002
【特許請求の範囲】
【請求項１】
周囲の音を収音してオーディオ信号に変換して出力する収音手段と、
放送を受信し、受信内容を示す受信信号を出力する放送受信手段と、
前記放送受信手段が出力する受信信号と前記収音手段が出力するオーディオ信号とを比較し、比較結果が所定の条件を満たした場合に、当該受信信号の受信時刻を特定するとともに、当該受信信号の受信に際し前記放送手段が同調していた放送局を特定し、これらの特定事項を示す特定データを生成する特定手段と、
前記特定手段が生成した特定データを所定のサーバに送信する送信手段と、
前記送信手段による送信に対する応答信号として前記サーバから返信される返信データを受信する受信手段と、
前記受信手段が受信した返信データに基づいて報知処理を行う報知手段と
を具備することを特徴とする放送特定装置。
【請求項２】
音声の内容を示すオーディオ信号を受け付ける入力手段と、
放送を受信し、受信内容を示す受信信号を出力する放送受信手段と、
前記放送受信手段が出力する受信信号と前記入力手段が受け付けるオーディオ信号とを比較し、比較結果が所定の条件を満たした場合に、当該受信信号の受信時刻を特定するとともに、当該受信信号の受信に際し前記放送手段が同調していた放送局を特定し、これらの特定事項を示す特定データを生成する特定手段と、
前記特定手段が生成した特定データを所定のサーバに送信する送信手段と、
前記送信手段による送信に対する応答信号として前記サーバから返信される返信データを受信する受信手段と、
前記受信手段が受信した返信データに基づいて報知処理を行う報知手段と
を具備することを特徴とする放送特定装置。
【請求項３】
前記報知手段は、前記返信データに基づいてオーディオ信号を生成するオーディオ信号生成手段を有し、前記オーディオ信号を放音することを特徴とする請求項１または２記載の放送特定装置。
【請求項４】
前記比較結果が所定の条件を満たさず、前記特定手段が特定データを生成できない場合に、前記放送受信手段の同調周波数を変更させる同調変更制御手段を具備することを特徴とする請求項１乃至３のいずれかに記載の放送特定装置。
【請求項５】
周囲の音を収音してオーディオ信号に変換して出力する収音手段と、
放送を受信し、受信内容を示す受信信号を出力する放送受信手段と、
前記放送受信手段が出力する受信信号と前記収音手段が出力するオーディオ信号とを比較し、比較結果が所定の条件を満たした場合に、当該受信信号の受信時刻を特定するとともに、当該受信信号の受信に際し前記放送手段が同調していた放送局を特定し、これらの特定事項を示す特定データを生成する特定手段と、
前記特定手段が生成した特定データを所定のサーバに送信する送信手段と、
前記送信手段による送信に対する応答信号として前記サーバから返信される楽音制御データを含む返信信号を受信する受信手段と、
前記受信手段が受信した楽音制御データに基づいて自動演奏を行う自動演奏手段と
を具備することを特徴とする自動演奏装置。
【請求項６】
音声の内容を示すオーディオ信号を受け付ける入力手段と、
放送を受信し、受信内容を示す受信信号を出力する放送受信手段と、
前記放送受信手段が出力する受信信号と前記入力手段が受け付けるオーディオ信号とを比較し、比較結果が所定の条件を満たした場合に、当該受信信号の受信時刻を特定するとともに、当該受信信号の受信に際し前記放送手段が同調していた放送局を特定し、これらの特定事項を示す特定データを生成する特定手段と、
前記特定手段が生成した特定データを所定のサーバに送信する送信手段と、
前記送信手段による送信に対する応答信号として前記サーバから返信される楽音制御データを含む返信信号を受信する受信手段と、
前記受信手段が受信した楽音制御データに基づいて自動演奏を行う自動演奏手段と
を具備することを特徴とする自動演奏装置。
【請求項７】
前記返信信号には楽音制御データに加えて表示データが含まれ、
前記受信手段は前記表示データを表示する表示手段を有することを特徴とする請求項５または６記載の自動演奏装置。
【請求項８】
前記比較結果が所定の条件を満たさず、前記特定手段が特定データを生成できない場合に、前記放送受信手段の同調周波数を変更させる同調変更制御手段を具備することを特徴とする請求項５乃至７のいずれかに記載の自動演奏装置。
【発明の詳細な説明】
【技術分野】
【０００１】
本発明は、収音した音に基づき、放送局や放送時刻を特定する放送特定装置および自動演奏装置に関する。
【背景技術】
【０００２】
通信回線によってデータを送受信することが可能な自動演奏楽器がある。このような自動演奏楽器によって、利用者は聞きたい楽曲の演奏をリクエストしたり、楽曲データをダウンロードして購入したりすることができる。
【発明の開示】
【発明が解決しようとする課題】
【０００３】
ところが、自動演奏楽器に対してこのような要求をする場合には、従来、利用者はキーボードやタッチパネルなどの入力機器を介して操作をしなければならない。
一方、テレビやラジオなどの番組で放送されていた楽曲を気に入り、その楽曲の楽曲データや楽譜を購入したいと思うことがある。このような場合、視聴者はその曲名やアーティスト名を入力する操作が必要になる。しかし、曲名などを正確に入力しなければ所望の情報を手に入れることができないが、曲名等が番組内で放送されるとは限らず、放送されても聞き取れなかったり、忘れてしまったりするような場合があった。番組内容の付帯情報を利用して所望の情報を獲得する技術として、例えば、特許文献1のような技術があるが、この場合においても、予め記録したい楽曲のジャンルを入力する必要があった。また、特定の楽曲に関連する情報を自動的に取得することはできなかった。
【特許文献１】特許３６９００４１号公報  この発明は、このような背景の下になされたもので、放送から流れる楽曲等に関連する情報を自動的に指定することができる放送特定装置および自動演奏装置を提供することを目的としている。
【課題を解決するための手段】
【０００４】
本発明の好適な態様である放送特定装置は、周囲の音を収音してオーディオ信号に変換して出力する収音手段と、放送を受信し、受信内容を示す受信信号を出力する放送受信手段と、前記放送受信手段が出力する受信信号と前記収音手段が出力するオーディオ信号とを比較し、比較結果が所定の条件を満たした場合に、当該受信信号の受信時刻を特定するとともに、当該受信信号の受信に際し前記放送手段が同調していた放送局を特定し、これらの特定事項を示す特定データを生成する特定手段と、前記特定手段が生成した特定データを所定のサーバに送信する送信手段と、前記送信手段による送信に対する応答信号として前記サーバから返信される返信データを受信する受信手段と、前記受信手段が受信した返信データに基づいて報知処理を行う報知手段とを具備することを特徴とする。
【０００５】
また、本発明の別の好適な態様である放送特定装置は、音声の内容を示すオーディオ信号を受け付ける入力手段と、放送を受信し、受信内容を示す受信信号を出力する放送受信手段と、前記放送受信手段が出力する受信信号と前記入力手段が受け付けるオーディオ信号とを比較し、比較結果が所定の条件を満たした場合に、当該受信信号の受信時刻を特定するとともに、当該受信信号の受信に際し前記放送手段が同調していた放送局を特定し、これらの特定事項を示す特定データを生成する特定手段と、前記特定手段が生成した特定データを所定のサーバに送信する送信手段と、前記送信手段による送信に対する応答信号として前記サーバから返信される返信データを受信する受信手段と、前記受信手段が受信した返信データに基づいて報知処理を行う報知手段とを具備することを特徴とする。
【０００６】
上述の態様において、前記報知手段は、前記返信データに基づいてオーディオ信号を生成するオーディオ信号生成手段を有し、前記オーディオ信号を放音してもよい。
【０００７】
また、本発明の好適な態様である自動演奏装置は、周囲の音を収音してオーディオ信号に変換して出力する収音手段と、放送を受信し、受信内容を示す受信信号を出力する放送受信手段と、前記放送受信手段が出力する受信信号と前記収音手段が出力するオーディオ信号とを比較し、比較結果が所定の条件を満たした場合に、当該受信信号の受信時刻を特定するとともに、当該受信信号の受信に際し前記放送手段が同調していた放送局を特定し、これらの特定事項を示す特定データを生成する特定手段と、前記特定手段が生成した特定データを所定のサーバに送信する送信手段と、前記送信手段による送信に対する応答信号として前記サーバから返信される楽音制御データを含む返信信号を受信する受信手段と、前記受信手段が受信した楽音制御データに基づいて自動演奏を行う自動演奏手段とを具備することを特徴とする。
【０００８】
また、本発明の別の好適な態様である自動演奏装置は、音声の内容を示すオーディオ信号を受け付ける入力手段と、放送を受信し、受信内容を示す受信信号を出力する放送受信手段と、前記放送受信手段が出力する受信信号と前記入力手段が受け付けるオーディオ信号とを比較し、比較結果が所定の条件を満たした場合に、当該受信信号の受信時刻を特定するとともに、当該受信信号の受信に際し前記放送手段が同調していた放送局を特定し、これらの特定事項を示す特定データを生成する特定手段と、前記特定手段が生成した特定データを所定のサーバに送信する送信手段と、前記送信手段による送信に対する応答信号として前記サーバから返信される楽音制御データを含む返信信号を受信する受信手段と、前記受信手段が受信した楽音制御データに基づいて自動演奏を行う自動演奏手段と
を具備することを特徴とする。
【０００９】
上述の態様において、前記返信信号には楽音制御データに加えて表示データが含まれ、前記受信手段は前記表示データを表示する表示手段を有してもよい。
【００１０】
また、上述の態様において、前記比較結果が所定の条件を満たさず、前記特定手段が特定データを生成できない場合に、前記放送受信手段の同調周波数を変更させる同調変更制御手段を具備してもよい。
【発明の効果】
【００１１】
本発明によれば、視聴者の視聴傾向に合わせた自動演奏装置の制御ができる。
【発明を実施するための最良の形態】
【００１２】
次に、この発明を実施するための最良の形態を説明する。
（Ａ）構成
（Ａ−１）自動演奏装置１の構成
図１は本実施形態に係る自動演奏装置１の構成を示すブロック図である。自動演奏装置１はインターネットや固定電話網など様々な通信網によって構成されるネットワーク４を介して楽曲サーバ２及び番組情報サーバ３と通信可能となっている。なお、楽曲サーバ２及び番組情報サーバ３はそれぞれが複数存在していてもよいが、図１では説明の簡略のため、それぞれ１つずつ示す。また、本実施形態においてネットワーク４はインターネットである。
【００１３】
１０１はＣＰＵ（Ｃｅｎｔｒａｌ  Ｐｒｏｃｅｓｓｉｎｇ  Ｕｎｉｔ）であり、バス１３０を介して自動演奏装置１の各部を制御する。
１０２はＲＯＭ（Ｒｅａｄ  Ｏｎｌｙ  Ｍｅｍｏｒｙ）であり、ＣＰＵ１０１に読み込まれる基本ＯＳ（Ｏｐｅｒａｔｉｎｇ  Ｓｙｓｔｅｍ）やコンピュータプログラム等が記憶されている。また、ＲＯＭ１０２内には、予め各自動演奏装置１に１つずつ割り振られている装置識別信号ａ−ＩＤも記憶されている。
１０３はＲＡＭ（Ｒａｎｄｏｍ  Ａｃｃｅｓｓ  Ｍｅｍｏｒｙ）であり、ＣＰＵ１０１のワークエリアとして使用される。
１０４は操作部であり、ユーザの操作を受け付ける。
１０５はハードディスク等の記憶部であり、ＣＰＵ１０１の制御の下、情報を記憶する。また、記憶部１０５には、ＣＰＵ１０１が読み出して実行するコンピュータプログラムが記憶されている。
【００１４】
１１１は外部の音を収音するマイクロフォンであり、収音した音をアナログ音声信号に変換して出力する。
１１２はマイクロフォン１１１により出力されたアナログ音声信号をデジタル音声信号へ変換するＡ／Ｄコンバータであり、所定のサンプリング周波数、量子化ビット数でデジタル化し、デジタル音声データとして出力する。
１１３はラジオの放送電波を受信するチューナであり、ＣＰＵ１０１の制御によって受信する周波数が決定され、当該周波数で放送されている音を所定のサンプリング周波数、量子化ビット数でデジタル化し、デジタル音声データとして出力する。
１１４はタイマであり、時刻を示す時刻情報を常時発生している。
【００１５】
１２１は通信部であり、インターネットを介して楽曲サーバ２と通信を行う。１２２は液晶ディスプレイからなる表示部であり、ＣＰＵ１０１の制御の下に文字や図形を液晶ディスプレイ上に表示する。
【００１６】
１２３は自動ピアノ部と音源回路による楽音発生部とを有する演奏部である。演奏部１２３は、ＭＩＤＩ（ＭｕｓｉｃａｌＩｎｓｔｒｕｍｅｎｔ Ｄｉｇｉｔａｌ Ｉｎｔｅｒｆａｃｅ；登録商標）イベントを受信して、自動ピアノによるピアノ演奏または音源回路を用いた電子音生成を行う。この演奏部１２３は、ＣＰＵ１０１の制御の下、楽曲サーバ２から受信したＭＩＤＩイベントに基づいて、楽曲を演奏する。
【００１７】
ここで、図２を用いて、演奏部１２３の詳細な構成を説明する。本実施形態において、演奏部１２３は、ＭＩＤＩイベント制御回路１２３ａ、音源１２３ｂ、駆動部１２３ｃ、Ｄ／Ａコンバータ１２３ｄ、アンプ１２３ｅ、スピーカ１２３ｆ、およびピアノ１２３ｇを備えている。
【００１８】
ＭＩＤＩイベント制御回路１２３ａは、ＣＰＵ１０１からＭＩＤＩイベントを受信し、受信したＭＩＤＩイベントを音源１２３ｂもしくは駆動部１２３ｃに転送する。なお、ＭＩＤＩイベント制御回路１２３ａが、ＣＰＵ１０１から受信するＭＩＤＩイベントを音源１２３ｂと駆動部１２３ｃのいずれに転送するかは、ＭＩＤＩイベントのステータスバイトのチャンネル番号による。
【００１９】
音源１２３ｂは、ＭＩＤＩイベント制御回路１２３ａからＭＩＤＩイベントを受信し、受信したＭＩＤＩイベントに基づいて、各種楽器の音情報を左右２チャンネルのデジタルオーディオ信号として出力する装置である。音源１２３ｂは受信したＭＩＤＩイベントによって指示された音高のデジタルオーディオ信号を電子的に合成し、Ｄ／Ａコンバータ１２３ｄに出力する。Ｄ／Ａコンバータ１２３ｄは、受信したデジタルオーディオ信号をアナログ音声信号に変換し、アンプ１２３ｅに出力する。アンプ１２３ｅは、Ｄ／Ａコンバータ１２３ｄから入力されるアナログ音声信号を増幅し、スピーカ１２３ｆに出力する。その結果、音源１２３ｂが生成するデジタルオーディオ信号は、ステレオの音としてスピーカ１２３ｆから出力される。
【００２０】
駆動部１２３ｃは、ピアノ１２３ｇの各鍵および各ペダルに配設され、それらを駆動するソレノイド群およびそれらのソレノイド群を制御する制御回路から構成される。駆動部１２３ｃの制御回路は、ＭＩＤＩイベント制御回路１２３ａからＭＩＤＩイベントを受信すると、対応する鍵もしくはペダルに配設されたソレノイドへ供給する電流量を調節し、ソレノイドが発生する磁力を制御することにより、ＭＩＤＩイベントに応じた鍵もしくはペダルを駆動する。
【００２１】
（Ａ−２）楽曲サーバ２の構成
図３は、楽曲サーバ２の構成の一例を示す図である。
図３に示すように、楽曲サーバ２は、制御部２１と、通信部２２と、記憶部２３とを備え、これらがバス２４を介して接続されている。制御部２１は、例えばＣＰＵなどの演算装置とＲＯＭやＲＡＭなどの各種メモリを備えている。演算装置がこれらのメモリや記憶部２３に記憶されているコンピュータプログラムを読み出して実行することにより、楽曲サーバ２の各部を制御する。通信部２２は、ネットワーク４に接続されており、制御部２１による制御の下で自動演奏装置１や番組情報サーバ３と通信を行う。
【００２２】
記憶部２３は、例えばハードディスクなどの大容量の記憶手段である。この記憶部２３には、図４に示すように、自動演奏装置１から送信される装置識別信号ａ−ＩＤをキーにして当該自動演奏装置１の設置地域を特定することができる登録情報データベース２３ｂが記憶されている。また、この登録情報データベース２３ｂには地域毎に周波数と番組情報サーバ３のＵＲＬとが関連付けて記述されているテーブルも含まれている。これらにより、自動演奏装置１の装置識別信号ａ−ＩＤと周波数Ｆから、当該自動演奏装置１の設置地域において周波数Ｆの放送電波により放送をしている放送局の番組情報サーバ３を特定することができる。例えば、図４に示される登録情報データベース２３ｂには装置識別信号ａ−ＩＤが「ａｂｃ１２３」である自動演奏装置１の設置地域は「Ａ県Ｂ市Ｃ町Ｎ丁目」であることが記述されており、「Ａ県」において放送電波「ＸＸＸＸ  Ｈｚ」により放送をしている放送局の番組情報サーバ３のＵＲＬは「ｈｔｔｐ：／／ｐｇｍｓｅｒｖｅｒ．ａａａ．ｃｏ．ｊｐ」である。
【００２３】
また、記憶部２３には、図５に示すように、楽曲名と当該楽曲に関連するＭＩＤＩデータの格納場所を示す一又は複数のＵＲＬ（Ｕｎｉｆｏｒｍ  Ｒｅｓｏｕｒｃｅ  Ｌｏｃａｔｏｒ）とが、対になって記述されたＭＩＤＩリストデータベース２３ｃが記憶されている。例えば、図５に示されるＭＩＤＩリストデータベース２３ｃには楽曲名「タイスの瞑想曲」で示される楽曲と関連するＭＩＤＩリストとして「ｈｔｔｐ：／／ｗｗｗ．ａｂｃ．ｃｏ．ｊｐ／ｍｉｄｉ／Ｍａｓｓｎｅｔ００１．ｍｉｄ」が記述されている。
さらに、記憶部２３には、複数のＭＩＤＩデータが格納されたＭＩＤＩデータ群２３ｄと、これらＭＩＤＩデータ群２３ｄから前述のＵＲＬに基づいて選択したＭＩＤＩデータを自動演奏装置１に配信するための手順が記述された楽曲配信プログラム２３ａの他、各種の画面データなどが記憶されている。
【００２４】
（Ａ−３）番組情報サーバ３の構成
図６は番組情報サーバ３の構成の一例を示す図である。図６に示すように、番組情報サーバ３も楽曲サーバ２と同様に制御部３１、通信部３２、記憶部３３を備えている。ここで、制御部３１は制御部２１と、通信部３２は通信部２２と、バス３４はバス２４と同様の機能を持った機器であるため、説明を省略する。
【００２５】
記憶部３３には図７に示すような番組情報データベース３３ｂが記憶されている。番組情報サーバ３は個々の放送局毎に存在しており、番組情報データベース３３ｂは当該放送局において放送された楽曲の楽曲名と当該楽曲が放送された放送時間帯とが対になったテーブル構造のデータベースである。例えば、図７で示される番組情報データベース３３ｂには、楽曲名「展覧会の絵」で示される楽曲が「１５時０６分２３秒」から「１５時１４分３０秒」まで放送されたことが記述されている。
記憶部３３には、他に、上述の番組情報データベース３３ｂに基づいて番組情報を配信するための番組情報送信プログラム３３ａが記憶されている。
【００２６】
次に、実施形態の動作を説明する。
（Ｂ）動作
まず、ユーザが操作部１０４の電源スイッチ（図示せず）を押下して自動演奏装置１に電力を供給すると、ＣＰＵ１０１はＲＯＭ１０２から基本ＯＳを読み出し、各部の制御を開始する。次に、ユーザが操作部１０４の収音開始を示すスイッチ（図示せず）を押下すると、ＣＰＵ１０１はその押下信号を受信し、マイクロフォン１１１を収音可能にする。
マイクロフォン１１１は、図示しないラジオ受信装置から放音されている音を収音し、これを変調したアナログ音声信号を出力する。マイクロフォン１１１が出力したアナログ音声信号は、Ａ／Ｄコンバータ１１２によって、デジタル音声信号Ａ（以下、ＤＳ−Ａ）へ変換される。
【００２７】
同時にＣＰＵ１０１はチューナ１１３を受信可能にし、チューナ１１３に対し、受信する放送電波の周波数を指定する。チューナ１１３は指定された周波数の放送電波を受信し、当該放送電波から音声を復調し、デジタル化して、デジタル音声信号Ｂ（以下ＤＳ−Ｂ）を得る。
ＣＰＵ１０１は、同時に取得したＤＳ−Ａ及びＤＳ−Ｂのうち、それぞれについて所定時間分のデータ列を切り出し、これらのデータ列とチューナ１１３が受信した放送電波の周波数ＦとをＲＡＭ１０３に記録させるとともに、当該記録時にタイマ１１４が出力した時刻情報ｔをＲＡＭ１０３に記録させる。
【００２８】
ここで、ＲＡＭ１０３に記憶されたＤＳ−Ａのデータ列をデータ列ＤＡ、ＤＳ−Ｂのデータ列をデータ列ＤＢとする。本実施形態においては、データ列ＤＡ及びデータ列ＤＢのいずれのデータ列にも記録開始から２秒間分の波形の振幅を示す値が時間の流れに沿って順に記録されている。サンプリング周波数が４４１００Ｈｚであるので、各データ列のデータ数は８８２００個になる。ここで、データ列ＤＡ及びデータ列ＤＢを、
（ＤＡ（０），ＤＢ（０））・・・（ＤＡ（８８１９９）、ＤＢ（８８１９９））
と表す。データ列ＤＡ及びデータ列ＤＢはそれぞれＣＰＵ１０１の制御の下、同時に記録されているため、両方のデータに応じた音声が同じであるならば、同じ経過時間に対応する波形の振幅を示す値同士には相関がある。そこで、ＣＰＵ１０１は、データ列ＤＡ及びデータ列ＤＢの相関係数Ｒを算出して、得られたＲが０．９以上である場合に、音声が一致していると判断する。このように相関関数Ｒを用いて判断することにより、完全一致でなくても両者の音声は一致すると判定するようにしている。これにより、例えばマイクロフォン１１１による収音の際に周囲の雑音が混入して、データ列ＤＡ及びデータ列ＤＢが完全に一致していなくても、ＤＳ−ＡとＤＳ−Ｂが一致していることを判断することができる。なお、相関係数Ｒはデータ列ＤＡ及びデータ列ＤＢによって次式のように表される。
【００２９】
【数１】
2008236548.tif 000003
【００３０】
上述の判定において、ＣＰＵ１０１がＤＳ−ＡとＤＳ−Ｂのそれぞれが示す音声が一致していないと判断した場合、ＣＰＵ１０１はチューナ１１３に対し、受信する放送電波の周波数を切り替える指示をする。チューナ１１３が受信する放送電波の周波数を切り替えて、受信が再開されたら、前述のプロセスを繰り返し、切り替えた新しい周波数におけるＤＳ−ＡとＤＳ−Ｂを比較する。受信可能なすべての周波数は予め記憶部１０５又はＲＯＭ１０２に記憶されているため、ＣＰＵ１０１が認識しており、これらすべての周波数で比較してもデータ列同士の一致が見られない場合、ＣＰＵ１０１は表示部１２２を用いて、番組特定不能である旨を表示する。
【００３１】
一方、ＣＰＵ１０１がＤＳ−ＡとＤＳ−Ｂのそれぞれが示す音声が一致していると判断した場合、ＣＰＵ１０１は、通信部１２１を介して、ＲＡＭ１０３に記録した放送電波の周波数Ｆと時刻情報ｔを、ＲＯＭ１０２から読み出した装置識別信号ａ−ＩＤとともに楽曲サーバ２へ送信する。楽曲サーバ２は自動演奏装置１から受信した装置識別信号ａ−ＩＤをキーとして登録情報データベース２３ｂから自動演奏装置１の設置地域を示す情報を抽出し、当該設置地域情報と周波数Ｆとから放送局を特定する。そして、楽曲サーバ２が当該放送局に所属する番組情報サーバ３に対して時刻情報ｔを送信すると、時刻情報ｔを受信した番組サーバ３は番組情報データベース３３ｂを検索して、送信された時刻情報ｔが含まれている放送時間帯に放送されていた楽曲名を楽曲サーバ２に返信する。
【００３２】
番組サーバ３から楽曲名を受信した楽曲サーバ２は、当該楽曲名をキーにしてＭＩＤＩリストデータベース２３ｃから、当該楽曲に関連のあるＭＩＤＩリストを楽曲名とともに自動演奏装置１に送信する。
自動演奏装置１は通信部１１８を介して楽曲サーバ２から楽曲名とＭＩＤＩリストを受信すると、表示部１２２にこれを表示させる。ユーザが表示された楽曲名とＭＩＤＩリストから任意のＭＩＤＩデータのダウンロード先を示すＵＲＬを操作部１０４を介して選択すると、ＣＰＵ１０１は選択されたＵＲＬの情報を通信部１１８を介して楽曲サーバ２へ送信する。楽曲サーバ２は送信されたＵＲＬの情報に応じて、ユーザの選択したＭＩＤＩデータを自動演奏装置１へ送信し、自動演奏装置１の演奏部１２３は受信したＭＩＤＩデータに基づいて楽曲を自動演奏する。以上のようにして、ユーザは放送局が放送した楽曲を気に入り、それを演奏したいと思ったなら、表示部１２２に表示された楽曲名やＭＩＤＩリストから選択を行えばよく、別途手間をかけて曲名を調べるなどの操作が不要である。
【００３３】
＜変形例＞
以上、本発明の実施形態について説明したが、本発明は上述した実施形態に限定されることなく、他の様々な形態で実施可能である。以下にその一例を示す。なお、以下の各態様を適宜に組み合わせてもよい。
【００３４】
（１）上記実施形態では、ＤＳ−Ａ及びＤＳ−Ｂの時間的ずれは無視したが、時間的ずれを補正する演算を行ってもよい。例えば、ＤＳ−ＡがＤＳ−Ｂに対して１００／４４１００秒遅いことが予めわかっている場合には、データ列ＤＡの１００個分のデータをずらした上で相関係数を算出すればよい。この場合、例えば、ＤＳ−ＡのデータＤＡ（９９）と対になるＤＳ−ＢのデータはデータＤＢ（０）になる。また、このような遅延時間が予めわかっていない場合には、上述ようなデータのずれをいくつか試行して、最も一致している相関係数を判断対象としてもよい。
また、ＤＳ−ＡとＤＳ−Ｂを所定の時間毎（例えば１０ｍｓｅｃ）に区分し、それぞれの区分に対して高速フーリエ変換を行い、ＤＳ−Ａの音声波形の特徴を示す特徴データＸ−Ａ及びＤＳ−Bの音声波形の特徴を示す特徴データＸ−Ｂ同士を比較してもよい。
【００３５】
（２）また、上述の実施形態において、当該楽曲に関連のある情報として、ＵＲＬを例に挙げたが、楽曲に関連のある情報はこれに限られるものではない。例えば、解説情報、広告、作曲家名、楽譜などを示す文字情報及び画像情報であってもよい。
【００３６】
（３）また、上述の実施形態において、収音対象は楽曲であったが、収音対象はこれに限られない。例えば、落語、ドラマ、ＤＪなどの楽曲以外のコンテンツが放送されている場合であっても、上述の実施形態と同様に音声を収音することで放送局と放送時刻を特定することができるので、放送内容に関連した情報を得ることができる。
【００３７】
（４）また、上述の実施形態において、ラジオ受信装置から放音されている音を収音したが、収音する音はラジオ受信装置から直接放音されている音に限られない。例えば、ラジオの音声が構内放送を通じて流されている場合などであっても、音声から放送局、番組、放送内容などを特定することができる。すなわち、放送受信装置の表示部等が見えない状況でも放送局を特定することが可能である。
また、上述の実施形態において、チューナ１１３が受信した放送電波はラジオ放送の放送電波であったが、チューナ１１３が受信する放送電波はラジオ放送に限られることはなく、テレビ放送の放送電波を受信してもよい。この場合にも、テレビ放送の放送電波から得られる音声信号を収音した音声と比較することで放送局と放送時刻を特定することができる。
さらに、チューナ１１３がテレビ放送の放送電波を受信する場合には、画像情報の比較を行ってもよい。この場合、自動演奏装置１にカメラを接続し、当該カメラが捉えるテレビ受信装置の画面の画像情報と、チューナ１１３が受信したテレビ放送の放送電波から得られる画像情報との比較結果を放送局特定に用いてもよい。さらに、このような画像情報の比較を音声比較と併用して用いることで、音声比較による放送局特定の精度を向上させることもできる。なお、画像情報は動画でもよいし、静止画でもよい。
【００３８】
（５）また、上述の実施形態において、比較する音声信号をデジタル化したが、デジタル化をせずに、アナログ波同士を比較してもよい。この場合には、例えば、収音により得られた音声波形と放送の受信により得られた音声波形をコンパレータに入力して、出力の時間変化が所定の範囲内にあることをもって、両方の音声が一致していると判断してもよい。
【００３９】
（６）また、上述の実施形態において、楽曲サーバ２へ送信するパラメータとして放送電波の周波数を用いたが、放送局を特定するために楽曲サーバ２へ送信するパラメータは周波数に限られない。例えば、放送受信装置に予め設定されている放送局を示すチャンネル番号であってもよい。この場合であっても、当該チャンネル番号と設置地域を示す情報の組み合わせから、楽曲サーバ２が放送局及び当該放送局の番組情報サーバ３を特定できるようになっていればよいので、例えば、登録情報データベース２３ｂにおいて設置地域毎のチャンネル番号と放送局の対応関係が示されたテーブルを記憶させ、当該テーブルを参照して番組情報サーバ３を特定するようにしてもよい。
【００４０】
（７）また、上述の実施形態は自動演奏装置であったが、上述した自動演奏装置の放送特定機能を実現する部分を演奏部１２３と切り離し、放送特定装置として単体で構成してもよい。また、当該放送特定装置の機能をパーソナルコンピュータに組み込んでもよいし、ポータブルオーディオ再生装置に組み込んでも良い。
【００４１】
（８）また、上述の実施形態において、ＭＩＤＩリストデータベース２３ｃには楽曲名とＭＩＤＩリストとが対になって記述されていたが、ＭＩＤＩリストデータベース２３ｃに記述する情報はこれに限られるものではなく、さらにＭＩＤＩリストに含まれるＵＲＬ毎に固有の情報を記述してもよい。例えば、自動演奏装置１は、ＵＲＬに格納されているＭＩＤＩデータの説明文を楽曲名、ＭＩＤＩリストと共に楽曲サーバ２から受信し、これを表示させてもよい。このようにすれば、ユーザはこの説明文を参考にして、ＭＩＤＩリストからＵＲＬを選択することができる。
【００４２】
（９）また、上述の実施形態において、自動演奏装置１にはマイクロフォン１１１が内蔵されていたが、マイクロフォン１１１は内蔵されていなくてもよい。この場合には、自動演奏装置１において、マイクロフォン１１１に替えてオーディオ入力端子１１１´を設け、外付けのマイクロフォンＭの出力端子と当該オーディオ入力端子１１１´を接続して、マイクロフォンＭからの音声信号を入力してもよい。
また、音声信号を獲得する構成は上述のようなマイクロフォンを用いた構成に限られない。例えば、上述のオーディオ入力端子１１１´とラジオ受信装置のオーディオ出力端子とを直接つないで、音声信号を入力するようにしてもよい。
【図面の簡単な説明】
【００４３】
【図１】自動演奏装置１の構成を示すブロック図である。
【図２】演奏部１２３の詳細な構成を説明する図である。
【図３】楽曲サーバ２の構成の一例を示す図である。
【図４】登録情報データベース２３ｂの一例を示す図である。
【図５】ＭＩＤＩリストデータベース２３ｃの一例を示す図である。
【図６】番組情報サーバ３の構成の一例を示す図である。
【図７】番組情報データベース３３ｂの一例を示す図である。
【符号の説明】
【００４４】
１…自動演奏装置、１０１…ＣＰＵ、１０２…ＲＯＭ、１０３…ＲＡＭ、１０４…操作部、１０５…記憶部、１１１…マイクロフォン、１１２…Ａ／Ｄコンバータ、１１３…チューナ、１１４…タイマ、１２１…通信部、１２２…表示部、１２３…演奏部、１２３ａ…ＭＩＤＩイベント制御回路、１２３ｂ…音源、１２３ｃ…駆動部、１２３ｄ…Ｄ／Ａコンバータ、１２３ｅ…アンプ、１２３ｆ…スピーカ、１２３ｇ…ピアノ、１３０…バス、２…楽曲サーバ、２１…制御部、２２…通信部、２３…記憶部、２３ａ…楽曲配信プログラム、２３ｂ…登録情報データベース、２３ｃ…ＭＩＤＩリストデータベース、２３ｄ…ＭＩＤＩデータ群、２４…バス、３…番組情報サーバ３、３１…制御部、３２…通信部、３３…記憶部、３３ａ…番組情報送信プログラム、３３ｂ…番組情報データベース
【図１】
2008236548.tif 000004
【図２】
2008236548.tif 000005
【図３】
2008236548.tif 000006
【図４】
2008236548.tif 000007
【図５】
2008236548.tif 000008
【図６】
2008236548.tif 000009
【図７】
2008236548.tif 000010